(57)【要約】【課題】対物レンズや対物レンズをレンズホルダーに固定するための接着剤に塵埃が付着することを防止するとともに、付着してしまった場合であっても、それらの塵埃を通常の記録／再生動作において除去することができる光ピックアップ装置を実現する。【解決手段】本発明に係る光ピックアップ装置１０は、対物レンズ１１ａが筒状のレンズホルダー１１ｂを介して筐体１２に取り付けられた光ピックアップ装置であって、レンズホルダー１１ｂの対物レンズ１１ａよりも光ディスク１側の筒壁に、筐体１２の内外を連通させる開口１１ｄが形成されている、ことを特徴としている。【選択図】図１
2010287282.tif 000002
【特許請求の範囲】
【請求項１】
対物レンズが筒状のレンズホルダーを介して筐体に取り付けられた光ピックアップ装置であって、
上記レンズホルダーの上記対物レンズよりも光ディスク側の筒壁に、上記筐体の内外を連通させる開口が形成されている、
ことを特徴とする光ピックアップ装置。
【請求項２】
上記筐体の側面のうち光ディスクの回転方向の上流側の側面が、上記筐体の光ディスクに対向する面と鋭角を成すよう傾斜している、
ことを特徴とする請求項１に記載の光ピックアップ装置。
【請求項３】
上記筐体の側面のうち光ディスクの回転方向に平行な側面には、線状の凸部がジグザグに形成されている、
ことを特徴とする請求項１又は２に記載の光ピックアップ装置。
【請求項４】
上記筐体の光ディスクに対向する面は、上記対物レンズが配置された領域を除き、平坦に形成されている、
ことを特徴とする請求項１から３までの何れか１項に記載の光ピックアップ装置。
【請求項５】
上記筐体の光ディスクに対向する面には、光ディスクの回転方向に伸びる線状の凹部が上記対物レンズを迂回するように形成されている、
ことを特徴とする請求項１から３までの何れか１項に記載の光ピックアップ装置。
【請求項６】
上記筐体の光ディスクに対向する面には、上記対物レンズを取り囲むように粘着性を有する粘着部が設けられている、
ことを特徴とする請求項１から３までの何れか１項に記載の光ピックアップ装置。
【請求項７】
上記対物レンズは、接着剤によって上記レンズホルダーに固定されており、
上記接着剤はＯリングによって被覆されている、
ことを特徴とする請求項１から６までの何れか１項に記載の光ピックアップ装置。
【請求項８】
請求項１から７の何れか１項に記載の光ピックアップ装置を備えた、
ことを特徴とする光ディスクドライブ装置。
【発明の詳細な説明】
【技術分野】
【０００１】
本発明は、光ディスクに情報を書き込んだり、光ディスクから情報を読み出したりするために用いられる光ピックアップ装置に関する。また、そのような光ピックアップ装置を備えた光ディスクドライブ装置に関する。
【背景技術】
【０００２】
ＢＤ（Blu-ray Disc），ＤＶＤ（Digital Versatile Disc），ＣＤ（Compact Disc）などの光ディスクに情報を書き込んだり、光ディスクから情報を読み出したりするために、光ピックアップ装置が広く用いられている。
【０００３】
光ピックアップ装置は、スピンドルモータ等と共に光ディスクドライブに内蔵され、高速回転する光ディスクに対して光ビームを照射することによって、情報の書き込み及び／又は読み出し（以下「情報の記録／再生」と略記）を行う。この際、光ピックアップ装置と光ディスクとの間に気流が生じ、この気流により光ピックアップ装置の光ディスク対向面上に塵埃が運び込まれる。この塵埃が、光ピックアップ装置の光ディスク対向面に設けられた対物レンズや、この対物レンズをレンズホルダーに固定するための接着剤などに付着すると、光ディスクに照射される光ビームの光量が低下し、記録／再生性能の低下を招来する。
【０００４】
一般に、対物レンズをレンズホルダーに固定するための接着剤は、対物レンズの破損や傾斜などを防止するため、伸縮性のあるものが好ましく、また、粘着性を有する場合も多い。このような接着剤には、特に塵埃が付着しやすく、上記の問題を招来しやすい。
【０００５】
特許文献１には、光源から射出されたレーザ光を通過させるためにキャリッジに形成された第１の開口部と、対物レンズに応じてカバーに形成された第２の開口部との間の経路に第３の開口部を設けた光ピックアップ装置が開示されている。第３の開口部を設けることにより、第１の開口部からキャリッジ内に流入した空気を、ミラーや対物レンズ等に達する前に第３の開口部から排出させることができる。これにより、空気と共に運び込まれた塵埃が対物レンズに付着することを抑制しようとするものである。
【０００６】
また、特許文献２には、光学ピックアップの対物レンズに対する光ディスクの回転方向の上流側に、空気が対物レンズの表面へ流れることを防止するための整流手段を備えた光ディスク装置が開示されている。この光ディスク装置も、空気と共に運び込まれた塵埃が対物レンズに付着することを抑制しようとするものである。
【先行技術文献】
【特許文献】
【０００７】
【特許文献１】特開平９−３２００８９（公開日：１９９７年１２月１２日）
【特許文献２】特開平１１−３１６９６６（公開日：１９９９年１１月１６日）
【発明の概要】
【発明が解決しようとする課題】
【０００８】
しかしながら、上記従来の技術においては、情報の記録／再生が繰り返し行われるような場合や、長時間にわたり行われるような場合には、徐々にではあっても対物レンズや接着剤に塵埃が付着してしまうという問題が残る。
【０００９】
また、上記従来の技術においては、対物レンズや接着剤に塵埃が付着してしまった場合に、それらの塵埃を通常の記録／再生動作において除去することは極めて困難であるという問題がある。
【００１０】
本発明は、上記の問題に鑑みてなされたものであり、その目的は、対物レンズや接着剤（対物レンズをレンズホルダーに固定するための接着剤、以下同じ）に塵埃が付着することを防止するとともに、付着してしまった場合であっても、それらの塵埃を通常の記録／再生動作において除去することができる光ピックアップ装置を実現することにある。
【課題を解決するための手段】
【００１１】
上記の課題を解決するために、本発明に係る光ピックアップ装置は、対物レンズが筒状のレンズホルダーを介して筐体に取り付けられた光ピックアップ装置であって、上記レンズホルダーの上記対物レンズよりも光ディスク側の筒壁に、上記筐体の内外を連通させる開口が形成されている、ことを特徴としている。
【００１２】
上記光ディスクが情報の記録／再生に伴い高速回転する際には、上記対物レンズの光ディスク対向面付近に負圧が発生する。上記構成によれば、上記負圧の発生に伴い、上記筐体内から上記開口を通って、上記対物レンズの光ディスク対向面付近へと流出する空気流が発生する。当該空気流は、上記対物レンズや接着剤等に付着した塵埃を遠方へと運び出すという効果を奏する。
【００１３】
従って、上記構成によれば、通常の記録／再生動作において、上記対物レンズや接着剤等に付着した塵埃を除去することができるという効果を奏する。
【００１４】
上記筐体の側面のうち光ディスクの回転方向の上流側の側面が、上記筐体の光ディスクに対向する面と鋭角を成すよう傾斜していることが好ましい。
【００１５】
上記構成によれば、上記光ディスクの回転に伴って上記筐体へと向かう空気の流れの大部分は、上記筐体の側面のうち光ディスクの回転方向の上流側の側面に沿って、光ディスクから遠ざかる向きへと誘導される。
【００１６】
その結果、光ピックアップの上流側に存在していた塵埃の大部分は、上記筐体の側面のうち光ディスクの回転方向の上流側の側面に沿って、光ディスクから遠ざかる向きへと運搬され、対物レンズ１１ａ周辺に付着することはない。従って、対物レンズ１１ａ，接着剤１１ｃ等に塵埃が付着することを抑制することができる。
【００１７】
また、誘導された上記空気の流れは上記筐体の側面のうち光ディスクの回転方向の上流側の側面の下方において渦を形成することもある。
【００１８】
一般に、渦が発生すると、空気によって運搬されている塵埃が渦に巻き込まれ、当該渦付近に滞留する。従って、上記構成によれば、上記筐体の上流側に存在していた塵埃の大部分が、先端部の下方に形成された渦の周辺に滞留することになる。
【００１９】
その結果として、上記筐体の光ディスク対向面，上記対物レンズ，上記接着剤等に塵埃が付着することを抑制することができるという効果を奏する。
【００２０】
また、上記筐体の側面のうち光ディスクの回転方向に平行な側面には、線状の凸部がジグザグに形成されていることが好ましい。
【００２１】
上記構成によれば、上記筐体の側面周辺にて渦（乱流）が発生することを抑制することができる。
【００２２】
一般に、渦（乱流）が発生すると、空気によって運搬されている塵埃が渦（乱流）に巻き込まれ、当該渦（乱流）付近に滞留する。そして、当該塵埃は、当該渦（乱流）の消滅後、周辺の部材に付着してしまう。
【００２３】
上記構成をとることによって、このような渦の発生を抑制することができる。従って、上記構成によれば、上記筐体の側面周辺に塵埃が付着することを抑制することができるという効果を奏する。その結果として、上記対物レンズ，上記接着剤等に塵埃が付着することを抑制することができるという効果を奏する。
【００２４】
また、上記筐体の光ディスクに対向する面は、上記対物レンズが配置された領域を除き、平坦に形成されている、ことが好ましい。
【００２５】
上記構成によれば、上記筐体の光ディスクに対向する面に凹凸が形成されている場合と比べて、上記光ディスクが情報の記録／再生に伴い高速回転している際であっても、上記筐体の光ディスク対向面と上記光ディスクとの間隙に渦（乱流）が発生することを抑制することができる。
【００２６】
一般に、渦（乱流）が発生すると、空気によって運搬されている塵埃が渦（乱流）に巻き込まれ、当該渦（乱流）付近に滞留する。そして、当該塵埃は、当該渦（乱流）の消滅後、周辺の部材に付着してしまう。
【００２７】
上記構成をとることによって、このような渦の発生を抑制することができる。その結果として、上記筐体の光ディスク対向面，上記対物レンズ，上記接着剤等に塵埃が付着することを抑制することができるという効果を奏する。
【００２８】
また、上記筐体の光ディスクに対向する面には、光ディスクの回転方向に伸びる線状の凹部が上記対物レンズを迂回するように形成されていることが好ましい。
【００２９】
上記構成によれば、上記光ディスクが回転する際に、上記光ディスクと上記筐体との間隙を通過する空気の流れは、主として上記凹部を通過する。その結果、上記光ディスク周辺に浮遊する塵埃も、主として上記凹部を通過する。さらに、上記凹部は上記対物レンズを迂回するように形成されているため、上記対物レンズ周辺への上記塵埃の付着を抑制できるという効果を奏する。
【００３０】
また、上記のように、上記光ディスクと上記筐体との間隙を通過する空気の流れは、主として上記凹部を通過するため、上記対物レンズの光ディスク対向面付近での渦（乱流）の発生が抑制される。これにより、上記筐体の光ディスク対向面，上記対物レンズ，上記接着剤等に塵埃が付着することを抑制することができるという効果を奏する。
【００３１】
また、上記筐体の光ディスクに対向する面には、上記対物レンズを取り囲むように粘着性を有する粘着部が設けられていることが好ましい。
【００３２】
上記構成によれば、上記光ディスクが情報の記録／再生に伴い高速回転する際には、上記粘着部が上記光ディスクと上記筐体の光ディスク対向面との間隙を流れる空気に含まれる塵埃を粘着するため、上記対物レンズ，上記接着剤等に塵埃が付着することを抑制することができるという効果を奏する。
【００３３】
また、上記対物レンズは、接着剤によって上記レンズホルダーに固定されており、上記接着剤は、Ｏリングによって被覆されていることが好ましい。
【００３４】
上記構成によれば、上記対物レンズが上記レンズホルダーに安定的に固定され、なおかつ、上記接着剤に塵埃が付着することを抑止することができるという効果を奏する。
【００３５】
なお、上記の光ピックアップ装置を備えた光ディスクドライブ装置も本発明の範疇に含まれる。
【００３６】
上記構成によれば、通常の記録／再生動作において、上記光ピックアップ装置の上記対物レンズや接着剤等に付着した塵埃を除去することができるという効果を奏する。
【発明の効果】
【００３７】
上記のように、本発明に係る光ピックアップ装置は、対物レンズよりも光ディスク側の筒壁に筐体の内外を連通させる開口が形成されたレンズホルダを有しているので、対物レンズや接着剤に塵埃が付着することを防止するとともに、付着してしまった場合であっても、それらの塵埃を通常の記録／再生動作において除去することができるという効果を奏する。
【図面の簡単な説明】
【００３８】
【図１】本発明の第１の実施形態を示すものであって、光ピックアップ装置の構成を示す断面図である。
【図２】本発明の第１の実施形態を示すものであって、（ａ）は、対物レンズが取り付けられたレンズホルダーを示す斜視図であり、（ｂ）は同レンズホルダーの上面図であり、（ｃ）は、同レンズホルダー１１ｂのＡＡ’断面図である。
【図３】本発明の第１の実施形態の効果を示すものであって、対物レンズ周辺の断面図である。
【図４】本発明の第１の実施形態の変形例を示すものであって、対物レンズが取り付けられたレンズホルダーを示す斜視図であり、（ｂ）は同レンズホルダーの上面図であり、（ｃ）は、同レンズホルダー１１ｂのＢＢ’断面図である。
【図５】本発明の第２の実施形態を示すものであって、（ａ）は、光ピックアップ装置の断面図であり、（ｂ）は、筐体を示す斜視図である。
【図６】本発明の第３の実施形態を示すものであって、（ａ）は、筐体を示す斜視図であり、（ｂ）は当該筐体を示す上面図であり、（ｃ）は、当該筐体のＣＣ’断面図であり、（ｄ）は、本実施形態の効果を示すための当該筐体の上面図である。
【図７】本発明の第４の実施形態を示すものであって、（ａ）は、筐体を示す斜視図であり、（ｂ）は当該筐体を示す上面図であり、（ｃ）は、当該筐体のＤＤ’断面図であり、（ｄ）は、本実施形態の効果を示すための当該筐体の上面図である。
【図８】本発明の第５の実施形態を示すものであって、（ａ）は、筐体を示す斜視図であり、（ｂ）は当該筐体を示す上面図であり、（ｃ）は、当該筐体のＥＥ’断面図であり、（ｄ）は、本実施形態の効果を示すための当該筐体の上面図である。
【図９】本発明の第６の実施形態を示すものであって、（ａ）は、筐体を示す斜視図であり、（ｂ）は当該筐体を示す上面図であり、（ｃ）は、当該筐体のＦＦ’断面図である。
【図１０】本発明に係る光ディスクドライブ装置の構成を示す図である。
【発明を実施するための形態】
【００３９】
〔実施形態１〕
第１の実施形態に係る光ピックアップ装置について図面を参照して説明すれば以下のとおりである。
【００４０】
まず、本実施形態に係る光ピックアップ１０の要部構成について、図１を参照して説明する。図１は、本実施形態に係る光ピックアップ１０の断面図である。
【００４１】
光ピックアップ１０は、図１に示すように、対物レンズ１１ａが筒状のレンズホルダー１１ｂを介して筐体１２に取り付けられた光ピックアップである。光ピックアップ１０の筐体１２内には、図示しない光源（例えば、半導体レーザ）、及び、該光源から射出された光ビームを対物レンズ１１ａに導く光学系が設けられており、対物レンズ１１ａによって光ビームを光ディスク１上に集光する構成が採られている。対物レンズ１１ａ及びレンズホルダー１１ｂは、不図示のアクチュエータと共に対物レンズアクチュエータ部１１を構成しており、対物レンズ１１ａをレンズホルダー１１ｂごとトラック方向及びフォーカス方向に移動することができるようになっている。
【００４２】
光ピックアップ１０の筐体１２は、光ディスク１に対向する面に形成された、対物レンズ１１ａを光ディスク１に対して露出させるための開口部１２ａを除き、概ね光ピックアップを被覆している。
【００４３】
このため、光ディスク１への情報の書き込み、又は、光ディスク１からの情報の読み出しが繰り返し又は長期間に渡って行われる場合、徐々にではあっても対物レンズ１１ａや対物レンズ１１ａをレンズホルダー１１ｂに接着している接着材１１ｃに塵埃が付着してしまう。
【００４４】
そこで、光ピックアップ１０においては、筐体１２の内外を連通させる開口部１１ｄをレンズホルダー１１ｂに形成することによってこれを回避する。以下、この点について図２及び図３を参照して説明する。
【００４５】
図２の（ａ）は、対物レンズ１１ａが取り付けられたレンズホルダー１１ｂの斜視図である。図２の（ｂ）は、同レンズホルダー１１ｂの上面図であり、図２の（ｃ）は、同レンズホルダー１１ｂのＡＡ’断面図である。
【００４６】
図２の（ａ）〜（ｃ）からわかるように、レンズホルダー１１ｂの対物レンズ１１ａよりも光ディスク側の筒壁に、筐体１２の内外を連通させる開口１１ｄが形成されている。特に、本実施形態においては、対物レンズ１１ａが４つの接着箇所においてレンズホルダー１１ｂに接着固定されており、各接着箇所の上部に開口１１ｄが形成されている。
【００４７】
図３は、レンズホルダー１１ｂに形成された開口１１ｄの作用効果を表す図である。同図における矢印１５ａ〜１５ｄは、光ディスク１が矢印１００の向きに高速回転している際の対物レンズ１１ａ周辺の空気の流れを示している。
【００４８】
光ディスク１が高速回転する際には、光ディスク１と対物レンズ１１ａとの間隙２００には負圧が発生し、光ピックアップ１０の筐体内部に存在している空気は、開口１１ｄを通して、光ピックアップ１０の筐体外部に誘導される。このため、図３に示すように、光ピックアップ１０の筐体内部から、開口１１ｄを通過し光ディスク１と光ピックアップ１０との間隙２００へと向かい、さらに光ピックアップ１０と光ディスク１との間隙において光ディスク１の回転方向へと向かう空気の流れ１５ａ〜１５ｄが誘起される。
【００４９】
上記空気の流れ１５ａ〜１５ｄは、図３に示すように、接着剤１１ｃおよび対物レンズ１１ａの光ディスク対向面付近を通過するため、接着剤１１ｃおよび対物レンズ１１ａの光ディスク対向面に付着していた塵埃は、これらの空気の流れ１５ａ〜１５ｄによって対物レンズ１１ａの上方へ運搬され、さらに、光ピックアップ１０と光ディスク１との間隙へと排出される。
【００５０】
このようにして、本実施形態に係る光ピックアップ１０は、対物レンズ１１ａや接着剤１１ｃに塵埃が付着してしまった場合であっても、それらの塵埃を通常の記録／再生動作において能動的に除去することができる。
【００５１】
なお、本実施形態に係る光ピックアップ１０は、対物レンズ１１ａをレンズホルダー１１ｂに接着するための接着剤１１ｃをＯリングによって被覆するように変形してもよい。このような変形例について、図４を参照してもう少し詳しく説明すれば以下のとおりである。
【００５２】
図４の（ａ）は、対物レンズ１１ａが取り付けられたレンズホルダー１１ｂの斜視図である。図４の（ｂ）は、同レンズホルダー１１ｂの上面図であり、図４の（ｃ）は、同レンズホルダー１１ｂのＢＢ’断面図である。
【００５３】
図４の（ａ）〜（ｃ）に示すように、対物レンズ１１ｂの光ディスク対向面側の外縁には、Ｏリング１１ｅが設けられている。Ｏリング１１ｅは、接着剤１１ｃを被覆するように配置されているため、接着剤１１ｃに塵埃が付着することを抑止することができる。
【００５４】
Ｏリング１１ｅの素材としては、接着剤１１ｃよりも粘着性が小さいものが好ましい。このようなＯリング１１ｅを用いることによって、接着剤１１ｃに塵埃が付着することを抑止すると共に、Ｏリング１１ｅ自身にも塵埃が付着することを抑制することができる。
【００５５】
なお、本実施形態および変形例における筐体１２の形状は、図１の断面図に示した形状に限られるものではない。
【００５６】
また、本実施形態においては、対物レンズ１１ａの外縁は、レンズホルダー１１ｂの内縁に合計４箇所にわたり接着剤１１ｃにより接着されており、開口部１１ｄもそれに対応して合計４箇所形成されているが、本発明はこれに限定されるものではない。
【００５７】
対物レンズ１１ａの外縁とレンズホルダー１１ｂの内縁との接着箇所が合計３以下である場合や、５以上である場合、または、対物レンズ１１ａの外縁が一様にレンズホルダー１１ｂの内縁に接着されているような場合であってもよい。また、接着剤を用いずにレンズ１１ａがレンズホルダー１１ｂに嵌めこまれているような場合であっても、本発明を適用することができる。
【００５８】
〔実施形態２〕
次に、本発明の第２の実施形態に係る光ピックアップ１０について説明する。本実施形態に係る光ピックアップ１０の特徴は、光ピックアップ１０の筐体（第１の実施形態に係る筐体１２と区別するために以下では参照符号２２を付す）の形状にある。対物レンズアクチュエータ部１１については実施形態１と同様なので説明を省略し、以下では、筐体２２について説明を行う。
【００５９】
図５の（ａ）は本実施形態に係る光ピックアップ１０の断面図であり、図５の（ｂ）は筐体２２を示す斜視図である。同図に示すように、筐体２２の光ディスク１に対向する面には、対物レンズ１１ａを光ディスク１に対して露出させるための開口部２２ａが形成されている。
【００６０】
そして、筐体２２は、筐体２２の光ディスク１に対向する面が、開口部２２ａ周辺の領域を除き、平坦に形成されている。
【００６１】
これにより、光ディスク１が高速回転している際であっても、筐体２２の光ディスク１の対向面と光ディスク１との間隙に渦（乱流）が発生することを抑制することができる。
【００６２】
一般に、渦（乱流）が発生すると、空気によって運搬されている塵埃が渦（乱流）に巻き込まれ、当該渦（乱流）付近に滞留する。そして、当該塵埃は、当該渦（乱流）の消滅後、周辺の部材に付着する。
【００６３】
従って、筐体２２の上記形状によって、筐体２２の光ディスク対向面と光ディスク１との間隙に渦（乱流）が発生することを抑止することにより、筐体２２，対物レンズ１１ａ，接着剤１１ｃ等に塵埃が付着することを抑制することができる。
【００６４】
〔実施形態３〕
次に、本発明の第３の実施形態に係る光ピックアップ１０について説明する。本実施形態に係る光ピックアップ１０の特徴は、光ピックアップの筐体（第１の実施形態に係る筐体１２と区別するために以下では参照符号３２を付す）の形状にある。対物レンズアクチュエータ部１１については実施形態１と同様なので説明を省略し、以下では、筐体３２について説明を行う。
【００６５】
図６の（ａ）は筐体３２の斜視図であり、図６の（ｂ）は筐体３２の上面図であり、図６の（ｃ）は筐体３２のＣＣ’断面図である。矢印１００は、光ディスク１の回転方向を示している。同図に示すように、筐体３２の光ディスク１に対向する面には、対物レンズ１１ａを光ディスク１に対して露出させるための開口部３２ａが形成されている。
【００６６】
また、筐体３２の側面のうち光ディスクの回転方向の上流および下流側の側面には、それぞれ、光ディスクの回転方向の上流および下流を向いたエッジ３２ｃおよび３２ｄが形成されている。
【００６７】
また、筐体３２の側面のうち光ディスクの回転方向に平行な側面には、線状の凸部３２ｅがジグザグに形成されている。
【００６８】
光ディスク１が矢印１００の向きに高速回転する際には、図６の（ｄ）の３５ａ，３５ｂに示すような空気の流れが生じるが、筐体３２の光ディスクの回転方向に平行な側面にジグザグに形成された線状の凸部３２ｅにより、筐体３２の側面周辺での渦（乱流）の発生が抑制される。
【００６９】
一般に、渦（乱流）が発生すると、空気によって運搬されている塵埃が渦（乱流）に巻き込まれ、当該渦（乱流）付近に滞留する。そして、当該塵埃は、当該渦（乱流）の消滅後、周辺の部材に付着する。
【００７０】
本実施形態においては、筐体３２の側面にジグザグに形成された線状の凸部３２ｅによって、筐体３２の側面周辺に渦（乱流）が発生することを抑制することにより、筐体３２，対物レンズ１１ａ，接着剤１１ｃ等に塵埃が付着することを抑制することができる。
【００７１】
なお、本実施形態においては、筐体３２の側面のうち光ディスクの回転方向の上流および下流側の側面には、それぞれ、光ディスクの回転方向の上流および下流を向いたエッジ３２ｃおよび３２ｄが形成されているが、本発明はこれに限定されるものではない。筐体３２の側面のうち光ディスクの回転方向の上流および下流側の側面が、エッジを有しない曲面状に形成されているような場合や、単一の平面状に形成されているような場合であっても、筐体３２の光ディスクの回転方向に平行な側面にジグザグに形成された線状の凸部３２ｅにより、筐体３２の側面周辺での渦（乱流）の発生が抑制され、筐体３２，対物レンズ１１ａ，接着剤１１ｃ等に塵埃が付着することを抑制することができる。
【００７２】
〔実施形態４〕
次に、本発明の第４の実施形態に係る光ピックアップ１０について説明する。本実施形態に係る光ピックアップ１０の特徴は、光ピックアップの筐体（第１の実施形態に係る筐体１２と区別するために以下では参照符号４２を付す）の形状にある。対物レンズアクチュエータ部１１については実施形態１と同様なので説明を省略し、以下では、筐体４２について説明を行う。
【００７３】
図７の（ａ）は筐体４２の斜視図であり、図７の（ｂ）は、筐体４２の上面図であり、図７の（ｃ）は筐体４２のＤＤ’断面図である。矢印１００は、光ディスク１の回転方向を示している。同図に示すように、筐体４２の光ディスク対向面には、光ディスク１の回転方向１００と平行に凸部４２ｅ，４２ｆ，４２ｇが形成されている。また、中央の凸部４２ｇには対物レンズ１１ａから照射されるレーザ光を通過させるための開口部４２ａが形成されている。換言すれば、凸部４２ｅと４２ｇとの間、および、凸部４２ｆと４２ｇとの間に、光ディスク１の回転方向に伸びる線状の凹部４２ｈおよび４２ｉが対物レンズ１１ａを迂回するように形成されている。
【００７４】
光ディスク１が矢印１００の向きに高速回転する際には、光ディスク１と筐体４２との間隙に光ディスク１の回転方向１００に沿った空気の流れが生じる。この空気の流れは、図７の（ｄ）の矢印４５ａ，４５ｂに示すように、主として、凹部４２ｈ，４２ｉを通過する。従って、光ディスク１の光ピックアップ１０に対抗する面の周辺に浮遊する塵埃も、主として、凹部４２ｈ，４２ｉを通過する。これにより、対物レンズ１１ａの周辺への塵埃の付着を抑制することができる。
【００７５】
また、凹部４２ｈ，４２ｉは、対物レンズ１１ａを迂回するように形成されているため、対物レンズ１１ａの光ディスク対向面周辺での渦（乱流）の発生が抑制される。これにより、筐体４２，対物レンズ１１ａ，接着剤１１ｃ等に塵埃が付着することを抑制することができる。
【００７６】
なお、筐体４２の側面のうち光ディスクの回転方向に平行な側面には、線状の凸部３２ｅがジグザグに形成されていてもよい。これにより、筐体４２の側面周辺での渦（乱流）の発生が抑制され、筐体３２，対物レンズ１１ａ，接着剤１１ｃ等に塵埃が付着することをより効果的に抑制することができる。
【００７７】
〔実施形態５〕
次に、本発明の第５の実施形態に係る光ピックアップ１０について説明する。本実施形態に係る光ピックアップ１０の特徴は、光ピックアップの筐体（第１の実施形態に係る筐体１２と区別するために以下では参照符号５２を付す）の形状にある。対物レンズアクチュエータ部１１については実施形態１と同様なので説明を省略し、以下では、筐体５２について説明を行う。
【００７８】
図８の（ａ）は、筐体５２の斜視図であり、図８の（ｂ）は、筐体５２の上面図であり、図８の（ｃ）は筐体５２のＥＥ’断面図である。矢印１００は、光ディスク１の回転方向を示している。同図に示すように、筐体５２の側面のうち光ディスクの回転方向の上流側の側面は、筐体５２の光ディスクに対向する面と鋭角を成すよう傾斜している。すなわち、筐体５２の光ディスク回転方向の上流側の端部には鋭角的なエッジ５２ｃが形成されている。
【００７９】
また、筐体５２の側面のうち光ディスクの回転方向の下流側の側面には、光ディスクの回転方向の下流を向いたエッジ５２ｄが形成されている。
【００８０】
また、筐体５２の光ディスク１に対向する面には、対物レンズ１１ａを光ディスク１に対して露出させるための開口部５２ａが形成されている。
【００８１】
図８の（ｄ）に示すように、光ディスク１が矢印１００の向きに高速回転する際には、光ピックアップ１０へと向かう空気の流れが、筐体５２の光ディスク対向面と光ディスク１との間隙を通過し、筐体５２の下流側へと向かう空気の流れ５５ａと、エッジ５２ｃにより光ディスク１から遠ざかる向きへと誘導された空気の流れ５５ｂとに分流される。
【００８２】
光ディスク１と筐体５２の光ディスク対向面との間隔は１００μｍ〜３００μｍと小さいため、光ピックアップ１０の上流側に存在していた塵埃の大部分は、空気の流れ５５ｂによって運搬され、光ディスク１から遠ざかる向きへと誘導されるため、対物レンズ１１ａ周辺に付着することはない。従って、対物レンズ１１ａ，接着剤１１ｃ等に塵埃が付着することを抑制することができる。
【００８３】
また、エッジ５２ｃにより光ディスク１から遠ざかる向きへと誘導された空気の流れ５５ｂは、図８の（ｄ）に示すように、渦を形成することもある。
【００８４】
一般に、渦が発生すると、空気によって運搬されている塵埃が渦に巻き込まれ、当該渦付近に滞留する。従って、筐体５２の上流側に存在していた塵埃の大部分は、エッジ５２ｃの下方に形成された渦の周辺に滞留することになる。
【００８５】
その結果として、筐体５２，対物レンズ１１ａ，接着剤１１ｃ等に塵埃が付着することがより効果的に抑制される。
【００８６】
なお、本実施形態においては、筐体５２の側面のうち光ディスクの回転方向の下流側の側面には、光ディスクの回転方向の下流を向いたエッジ５２ｄが形成されているが、本発明はこれに限定されるものではない。筐体５２の側面のうち光ディスクの回転方向の下流側の側面が、エッジを有しない曲面状に形成されているような場合や、単一の平面状に形成されているような場合であっても、上述した効果と同様の効果を奏することができる。
【００８７】
〔実施形態６〕
次に、本発明の第６の実施形態に係る光ピックアップ１０について説明する。本実施形態に係る光ピックアップ１０の特徴は、光ピックアップの筐体（第１の実施形態に係る筐体１２と区別するために以下では参照符号６２を付す）の形状にある。対物レンズアクチュエータ部１１については実施形態１と同様なので説明を省略し、以下では、筐体６２について説明を行う。
【００８８】
図９の（ａ）は、筐体６２の斜視図であり、図９の（ｂ）は、筐体６２の上面図であり、図９の（ｃ）は筐体６２のＦＦ’断面図である。同図に示すように、筐体６２の光ディスク１に対向する面には、対物レンズ１１ａを光ディスク１に対して露出させるための開口部６２ａが形成されている。同図に示すように、筐体６２の光ディスク対向面の外縁には、Ｏリング６２ｃが取り付けられている。Ｏリング６２ｃは、対物レンズ１１ａとレンズホルダー１１ｂに接着するための接着剤１１ｃと同等もしくはそれ以上の粘着性を有することが好ましい。
【００８９】
光ディスク１が情報の記録／再生のため、高速回転する際にはＯリング６２ｃが筐体６２の光ディスク対向面と光ディスク１との間隙を流れる空気塊中に含まれる塵埃を粘着するため、対物レンズ１１ａ，接着剤１１ｃ等に塵埃が付着することを抑制することができる。
【００９０】
なお、本実施形態においては、筐体６２の光ディスク対向面の外縁に、粘着性を有するＯリング６２ｃを設けたが、同様の効果を発揮するものであれば、Ｏリングに限定されるものではなく、また、筐体６２の光ディスク対向面の外縁に限定されるものではない。すなわち、Ｏリングでなくとも、筐体６２の光ディスク対向面に粘着剤を塗布したり、粘着性を有する粘着部が設けられていればよく、光ディスク対向面の外縁でなくとも、対物レンズ１１ａを取り囲むように粘着性を有する粘着部が設けられていればよい。
【００９１】
〔光ディスクドライブ装置〕
最後に、上記各実施形態に係る光ピックアップ１０を備えた光ディスクドライブ装置について、図１０を参照して説明する。図１０は、上記各実施形態に係る光ピックアップを備えた光ディスクドライブの要部構成を示す図である。
【００９２】
光ディスク１はスピンドルモータ軸２ａによって回転可能に保持されており、情報の記録／再生時には、スピンドルモータ２からの動力によって高速回転される。
【００９３】
光ピックアップ１０は、ガイドレール３によって保持されており、情報の記録／再生時には、対物レンズ１１ａを介して光ビームを光ディスク１上に照射し、駆動モーター４からの動力によって光ディスク１の動径方向に適宜移動される。
【００９４】
なお、本発明に係る光ディスクドライブ装置は、光ディスク１の挿入／排出の際に光ディスク１を保持するためのディスクトレーや、ディスクトレーを移動させるためのローディング機構や、光ディスク１に照射するレーザ光のパワーが最適になるよう制御するオートパワーコントロール（ＡＰＣ）回路等をさらに備えていてもよい。
【００９５】
また、本発明は上述した各実施の形態に限定されるものではなく、請求項に示した範囲で種々の変更が可能である。すなわち、請求項で示した範囲で適宜変更した技術的手段を組み合わせて得られる実施形態についても本発明の技術的範囲に含まれる。
【産業上の利用可能性】
【００９６】
本発明は、光ディスクに情報を書き込んだり、光ディスクから情報を読み出したりするために用いられる光ピックアップに好適に用いることができる。
【符号の説明】
【００９７】
１  光ディスク
１０  光ピックアップ（光ピックアップ装置）
１１  対物レンズアクチュエータ部
１１ａ  対物レンズ
１１ｂ  レンズホルダー
１１ｃ  接着剤
１１ｄ  開口
１２  筐体
【図１】
2010287282.tif 000003
【図２】
2010287282.tif 000004
【図３】
2010287282.tif 000005
【図４】
2010287282.tif 000006
【図５】
2010287282.tif 000007
【図６】
2010287282.tif 000008
【図７】
2010287282.tif 000009
【図８】
2010287282.tif 000010
【図９】
2010287282.tif 000011
【図１０】
2010287282.tif 000012